(57)【要約】【課題】現金処理装置及びその現金処理装置に使用される無線ＩＣ内蔵紙幣に関し、紙幣が重送されても、個々の紙幣を鑑別することができる現金処理装置及びその現金処理装置に使用される無線ＩＣ内蔵紙幣を提供することを課題とする。【解決手段】紙幣２に小型の無線ＩＣを内蔵する。現金処理装置は、紙幣の枚数、真贋、金種を鑑別する鑑別部１１４を有しており、この鑑別部１１４には、紙幣２に内蔵された無線ＩＣ２１と通信するアンテナ（通信手段）２２を設けて、紙幣２が重送されても、個々の紙幣を鑑別する。【選択図】      図１
2004164156.tif 000002
【特許請求の範囲】
【請求項１】
紙幣の枚数、真贋、金種を鑑別する鑑別部を有する現金処理装置において、
前記鑑別部に、紙幣に内蔵された無線ＩＣと通信する通信手段を設けたことを特徴とする現金処理装置。
【請求項２】
紙幣を分離するフィードローラとセパレータ間のオーバーラップ量を調整する調整手段を有した紙幣繰り出し機構と、
該紙幣繰り出し機構に設けられ、紙幣に内蔵された無線ＩＣと通信する通信手段と、
該通信手段からの信号に基づいて前記紙幣繰り出し機構の調整手段を制御する制御部と、
を設けたことを特徴とする請求項１記載の現金処理装置。
【請求項３】
前記調整手段は、前記セパレータに接続された圧電素子と、該圧電素子を駆動する圧電素子駆動部とで構成されていることを特徴とする請求項２記載の現金処理装置。
【請求項４】
前記調整手段は、前記セパレータに接続されたソレノイドと、該ソレノイドを駆動するソレノイド駆動部と、前記セパレータを前記フィードローラから離れる方向に付勢する付勢手段と、で構成されていることを特徴とする請求項２記載の現金処理装置。
【請求項５】
内蔵された無線ＩＣと、
他の無線ＩＣが送信中は自己の送信を保留し、一定時間後に再送信する制御部と、
を有することを特徴とする無線ＩＣ内蔵紙幣。
【発明の詳細な説明】
【０００１】
【発明の属する技術分野】
本発明は、現金処理装置（例えば現金自動支払い機（ＣＤ）や現金自動預け払い機（ＡＴＭ）等）及びその現金処理装置に使用される無線ＩＣ内蔵紙幣に関するもので、装置内部で紙幣が重なって搬送される重送障害や、紙幣が搬送されなくなる不送り障害を発生させないようにした現金処理装置に関する。
【０００２】
【従来の技術】
一般的な現金処理装置の構成を図１５に示す。尚、現金処理装置の一種である現金自動預け払い機（ＡＴＭ）では、紙幣に加えて硬貨を扱う機種もあるが、本例では紙幣の取り扱いだけを対象とする。
【０００３】
紙幣処理ユニット１０１は、利用者が入金する時は、入出金部１０２に投入された紙幣を取り込み、一方利用者が出金する時は、入出金部１０２に支払金額分の紙幣を払い出すものである。現金カセット１０３は、金融機関の担当者が支払用の現金を詰めておくカセットである。リジェクトボックス１０４は、紙幣処理ユニット１０１内で真券と判定されなかった紙幣（偽札や損傷の著しい紙幣等）を回収するユニットである。カード処理部１０５は、キャッシュカードを処理する手段である。通帳処理部１０６は、預貯金通帳に取引明細を印字する手段である。操作パネル１０７は、利用者が入出金の指示、暗証番号、金額、振込先等取引に必要な情報を入力する手段である。制御部１０８は、現金処理装置内の各部の制御及び金融機関の本部にあるコンピュータとのデータ通信を行う手段である。
【０００４】
次に、図１５の紙幣処理ユニット１０１の構成を図１６を用いて説明する。
【０００５】
紙幣処理ユニット１０１は、紙幣を有効利用するために入金された紙幣を出金時に支払用として再使用するリサイクル型となっている。
【０００６】
スタッカ１１０は、入金された紙幣及び出金する紙幣を一時蓄えておく手段である。スタッカ１１０は金種別に複数台が紙幣処理ユニット１０１内に搭載されている。スタッカ１１０の下部にはスタッカ内の紙幣１１１を一枚ずつ分離して搬送路１１２へ送り出すための繰り出し機構１１３が設けられている。紙幣を搬送する搬送路１１２の分岐部には紙幣の行き先を切り換えるためのポイントがある。入出金部１０２と現金カセット１０３の下部にも繰り出し機構１１３が設けられている。鑑別部１１４で、スタッカ１１０や入出金部１０２から搬送されてきた紙幣の枚数、真贋、金種等を鑑別する。鑑別部１１４で真券と判定されなかった紙幣はリジェクトボックス１０４へ収納される。スタッカ１１０内の紙幣枚数が減少すると現金カセット１０３から紙幣が適宜補充される。
【０００７】
紙幣処理ユニット１０１における紙幣の流れを以下に示す。
【０００８】
▲１▼入金時：入出金部１０２→搬送路１１２→鑑別部１１４→搬送路１１２→スタッカ１１０
▲２▼出金時：スタッカ１１０→搬送路１１２→鑑別部１１４→搬送路１１２→入出金部１０２
▲３▼補充時：現金カセット１０３→搬送路１１２→スタッカ１１０
次に、図１６の繰り出し機構１１３の構成を図１７を用いて説明する。図１７（ａ）は繰り出し機構１１３を下から見た図、図１７（ｂ）は正面から見た図である。ピックローラ１は、積層された紙幣２の下面に当接している。フィードローラ３は、図示していない歯車機構でピックローラ１と連結しており、図示しないローラ駆動モータによってピックローラ１と同一周速度で回転して、紙幣２を右方へ送り出す。
【０００９】
セパレータ４は、積層された紙幣２の一番下の紙幣だけを搬送路５側へ通過させ、２枚目以降の紙幣の進行を阻止する。セパレータ４は摩擦力を利用して２枚目以降の紙幣の進行を阻止するため、通常は摩擦係数の大きなゴム材料が使用されている。フィードローラ３とセパレータ４はＹ軸方向に交互に配置されており、かつＹ軸方向から見たときにフィードローラ３とセパレータ４は一部が重なって見える。以下この重なり部分をオーバーラップ６と呼び、セパレータ４のフィードローラ３への食い込み量をオーバーラップ量と呼ぶ。このため、オーバーラップ６を通過した紙幣２は撓ませられて、Ｙ軸方向に波打っている。７は搬送ローラで、オーバーラップ６を通過してきた１枚の紙幣を搬送路５へ送り出すものである。８は通過検知センサで、例えば一対の発光素子と受光素子で構成され、発光素子から受光素子へ光ビーム９が張られている。搬送ローラ７を通過してきた紙幣の前端が光ビーム９を横切ると通過検知センサ８はＯＦＦ状態になり、一方紙幣の後端が光ビーム９を通過すると光ビーム９は再び受光素子へ達して通過検知センサ８はＯＮ状態となる。
【００１０】
図示しないローラ制御手段は、通過検知センサ８からのＯＮ／ＯＦＦ信号を用いて図示しないローラ駆動モータを制御して、ピックローラ１とフィードローラ３を間欠回転させ、紙幣を一定間隔で送り出す。１０は押圧板で、図示しない押圧機構によって紙幣２をピックローラ１とフィードローラ３へある一定の押圧力１１で押し付ける。
【００１１】
紙幣処理ユニット１０１内の鑑別部１１４は、磁気インクで印刷されている紙幣の模様の磁気パターン情報や紫外線照射で浮かび上がる模様等を利用して、紙幣の真贋と金種の鑑別を行っている。そのため、鑑別部１１４を通過する紙幣は常に１枚であることが必要であり、２枚以上が重なっている場合には、鑑別不可能である。従って、鑑別部１１４の上流にある繰り出し機構１１３はスタッカ１１０内に積層された紙幣１１１から確実に１枚だけを分離して搬送路１１２へ送り出すことが要求される。
【００１２】
ところで、紙幣は、新品（官封券）から使用されてシワや折れ目のついた紙幣（流通券）まで、多様な紙幣が流通しており、紙としての機械的な性質は多種多様であるため、以下のような課題があった。
【００１３】
▲１▼紙幣の分離状況は、フィードローラ・紙幣間の摩擦力、セパレータ・紙幣間の摩擦力、及び紙幣同士間の摩擦力に依存するが、紙幣の摩擦係数は変動が大きいため、摩擦係数が平均値から大きく外れた紙幣を繰り出す場合には不送りや重送が発生しやすい。
【００１４】
▲２▼紙幣の性質（摩擦係数やこしの強さ）が平均から大きくはずれた紙幣（長期間使用されて、こしがほとんど無くなったような紙幣等）を分離する場合には、オーバーラップ量はその紙幣にとって最適値とはなっていないため、不送りや重送が発生してしまう。
【００１５】
また官封券と流通券とが混在した状況では摩擦係数やこしの強さが大きく異なるため、特に不送りや重送が発生しやすい。
【００１６】
重送は繰り出し機構１１３から紙幣が出過ぎるという障害であり、不送りは紙幣が繰り出し機構１１３から出て行かないという障害であって、相反するものである。即ち、重送を防止するためにオーバーラップ量を大き目に設定すると不送りが発生し易くなり、逆に、不送りを防止するためにオーバーラップ量を小さ目に設定すると重送が発生し易くなって、重送の防止対策と不送りの防止対策とはトレードオフの関係にある。
【００１７】
そのため、重送と不送りを共に防止できるオーバーラップ量の設定許容値を求めると、紙幣の厚さと同程度の±０．１〜±０．２ｍｍとなる。紙幣処理ユニット１０１の製造時にオーバーラップ量をこの許容値内に設定し、且つ現金処理装置が稼動している長期にわたって設定値を維持するのは容易ではない。
【００１８】
また、重送が発生した場合は、重送した紙幣をリジェクトボックス１０４あるいはスタッカ１１０へ回収した後に繰り出し動作を続行することができるが、重送が頻発すると本来なら支払われる紙幣の回収枚数が増加して紙幣の利用効率が低下する。一方、不送りが発生した場合には、繰り出し機構１１３はリトライ動作をして不送りとなった紙幣を繰り出そうと試みるが、数回のリトライ動作で繰り出されない場合は、人手で不送りとなった紙幣をスタッカ１１０内から取り除く必要があり、作業中は現金処理装置での現金取り扱いを一時休止することになって利用者へのサービスが低下する。
【００１９】
したがって、機械的に重送、不送りが発生しないようにするのは困難であるので、重送や不送りを直ちに高精度に検出して、紙幣の利用効率の低下、利用者へのサービス低下を防ぐようにしている（例えば、特許文献１参照）。
【００２０】
【特許文献１】
特開平６−３２９３００号公報（第３頁、図１）
【００２１】
【発明が解決しようとする課題】
本発明は、上記問題点に鑑みてなされたもので、その課題は、紙幣が重送されても、個々の紙幣を鑑別することができる現金処理装置及びその現金処理装置に使用される無線ＩＣ内蔵紙幣を提供することにある。
【００２２】
【課題を解決するための手段】
図１は、請求項１記載の発明の原理図である。（ａ）図は紙幣の構成図、（ｂ）図は鑑別部の上面構成図、（ｃ）図は（ｂ）図の正面図である。尚、従来例を示す図１５〜図１７と同一部分には、同一符号を付し、重複する説明は省略する。
【００２３】
図１（ａ）に示すように、ＩＣ紙幣２０は、紙幣２の一部に超小型の無線ＩＣ２１が内蔵されたものである。
【００２４】
図１（ｂ）（ｃ）に示すように、鑑別部１１４には無線ＩＣと通信する通信手段（アンテナ）２２が配置してある。繰り出し機構１１３から搬送路のベルト２３で挟持されて搬送されてきたＩＣ紙幣２０が鑑別部１１４内に進入すると、アンテナ２２は無線ＩＣ２１へ質問電波を発信し、無線ＩＣ２１からの応答電波を受信して、紙幣情報を入手する。無線ＩＣ２１と通信して紙幣を鑑別するので、紙幣が重送されている場合でも、個々の紙幣を鑑別することができる。
【００２５】
ここで、超小型の無線ＩＣ２１について説明する。大きさが、０．数ｍｍ角、厚さが０．数ｍｍで、データを発信するためのアンテナ機能もチップ本体に収納したＩＣチップである。マイクロ波を当てることで発生する交流電流を整流して電力源として動作し、例えば、１２８ビットのデータを無線で送り返すものである。
【００２６】
図２は請求項２記載の発明の原理図である。（ａ）図は繰り出し機構を下から見た構成図、（ｂ）図は繰り出し機構の正面図である。尚、従来例を示す図１５〜図１７と同一部分には、同一符号を付し、重複する説明は省略する。
【００２７】
繰り出し機構には、ピックローラ１と、フィードローラ３と、フィードローラ３に隣接して紙幣を分離するセパレータ４とが設けられている。フィードローラ３上に載ったＩＣ紙幣２０の無線ＩＣ２１の近傍に、無線ＩＣと通信する通信手段（アンテナ）２４が配置してある。２５は、セパレータ４を駆動してフィードローラ３とセパレータ４間のオーバーラップ量を調整する調整手段（アクチュエータ）である。
【００２８】
制御部５０は、アンテナ２４からの信号に基づいて、ピックローラ１とフィードローラ３上にＩＣ紙幣２０が載っていることを確認する。
【００２９】
そして、制御部５０は、ＩＣ紙幣２０が繰り出される時には、オーバーラップ量を小さくして、ＩＣ紙幣２０が繰り出され易くなるようにする。
【００３０】
よって、ＩＣ紙幣２０は不送りにならない。
【００３１】
請求項３記載の発明は、前記調整手段は、前記セパレータに接続された圧電素子と、該圧電素子を駆動する圧電素子駆動部とで構成されていることを特徴とする請求項２記載の現金処理装置である。
【００３２】
圧電素子駆動部を用いて圧電素子に印加する電圧を変えることで、圧電素子が伸張し、オーバーラップ量を変えることができる。
【００３３】
請求項４記載の発明は、前記調整手段は、前記セパレータに接続されたソレノイドと、該ソレノイドを駆動するソレノイド駆動部と、前記セパレータを前記フィードローラから離れる方向に付勢する付勢手段と、で構成されていることを特徴とする請求項２記載の現金処理装置である。
【００３４】
ソレノイド駆動部を用いてソレノイドに印加する電圧を変えることで、付勢手段の付勢力に抗して移動するソレノイドの移動量が変わり、オーバーラップ量を変えることができる。
【００３５】
ここで、前記通信手段は、前記鑑別部に単数、複数のうちいずれか配置されていることが望ましい。
【００３６】
又、前記通信手段は、繰り出し機構に単数、複数のうちいずれか配置されていることが望ましい。
【００３７】
通信手段を単数配置することにより、コストダウンを図ることができる。
【００３８】
通信手段を複数配置することにより、正確な通信を行える。
【００３９】
請求項５記載の発明は、内蔵された無線ＩＣと、他の無線ＩＣが送信中は自己の送信を保留し、一定時間後に再送信する制御部とを有することを特徴とする無線ＩＣ内蔵紙幣である。
【００４０】
他の無線ＩＣが送信中は自己の送信を保留し、一定時間後に再送信することにより、混信がなくなり、各紙幣の情報を確実に入手することができる。
【００４１】
【発明の実施の形態】
次に図面を用いて本発明の実施の形態例を説明する。尚、従来例を示す図１５〜図１７と同一部分には、同一符号を付し、重複する説明は省略する。
（鑑別部）
図３を用いて、実施の形態例の鑑別部の構成を説明する。
【００４２】
ＩＣ紙幣２０は、ベルト２３によって、鑑別部１１４内を搬送される。鑑別部１１４には、ＩＣ紙幣２０に埋め込まれた無線ＩＣ２１と通信するためのアンテナ２２が、複数個配置してある。
【００４３】
本実施の形態例では、アンテナ２２は通過していく無線ＩＣ２１のほぼ真下の位置に配置した。
【００４４】
ところで、ＩＣ紙幣２０の姿勢は、図４に示すように４通りある。尚、図４において、ＩＣ紙幣２０の姿勢をわかり易くするために、紙は透明として無線ＩＣ２１と金額の「１００」が透けて見えるようにした。ＩＣ紙幣２０は移動していくので、図４（ａ）と図４（ｂ）とは同一のアンテナで無線ＩＣ２１と通信できる。同様に、図４（Ｃ）と図４（Ｄ）とも同一のアンテナで無線ＩＣ２１と通信できる。従って、鑑別部１１４には、アンテナ２２を２ヵ所だけに配置した。
【００４５】
３０は鑑別部１１４の通信部で、後述する繰り出し制御部５０からの指令によって、アンテナ２２から質問電波を発射する。ＩＣ紙幣２０内の無線ＩＣ２１がアンテナ２２上を通過すると、無線ＩＣ２１は質問電波に応答して、無線ＩＣ２１内に記録されている紙幣情報（金種、紙幣番号等）を送信する。通信部３０はアンテナ２２で受信した電波中から紙幣情報を抽出して、繰り出し制御部５０へ通知する。
【００４６】
尚、図３に示す実施の形態例では、アンテナ２２を２ヵ所に配置してあるが、無線ＩＣ２１と交信可能であれば１ヵ所でもよいし、あるいは２ヵ所以上に配置してもよい。
【００４７】
図３に戻って、３１は枚数検出部で、鑑別部１１４に入ってくる紙幣の枚数を検出するものである。紙幣の枚数の検出方法としては、▲１▼圧接したローラ間に紙幣を通過させた時のローラの変位量と紙幣１枚の厚さから枚数を算出する方法、▲２▼紙幣に光を照射した時の透過光量から枚数を算出する方法、等がある。３２は判別部で、普通紙幣の真贋と金種を判別するもので、判別方法は従来例と同じである。
【００４８】
鑑別部１１４に２枚のＩＣ紙幣２０が重なって搬送されてきた場合の、ＩＣ紙幣２０の姿勢の組み合わせを、図５に示す。尚、図５では見易くするために、２枚のＩＣ紙幣２０を少しずらして図示している。図５の（ａ）図〜（ｃ）図の組み合わせでは、２枚のＩＣ紙幣２０の無線ＩＣ２１の位置がずれているために、鑑別部１１４において夫々のＩＣ紙幣２０を鑑別することができる。但し、（ｄ）図の場合については、無線ＩＣ２１がほぼ重なっているために、２個の無線ＩＣ２１からの電波が混信してしまい、通信部３３は紙幣情報をうまく抽出することができないという課題がある。この課題に対する解決手段は、後述する。
（繰り出し機構）
図６を用いて、実施の形態例の繰り出し機構の構成を説明する。
【００４９】
ＩＣ紙幣２０に埋め込まれた無線ＩＣ２１と通信するためのアンテナ２４が、繰り出し機構１１３に複数個配置してある。アンテナ２４は無線ＩＣ２１のほぼ真下の位置に配置し、図４に示すＩＣ紙幣２０の４通りの姿勢に対応して４ヵ所に配置してある。４０は繰り出し機構の通信部で、後述する繰り出し制御部５０からの指令によって、アンテナ２２から質問電波を発射する。ピックローラ１上にＩＣ紙幣２０が載っている場合には、無線ＩＣ２１から応答電波が返ってくるが、普通紙幣が載っている場合には応答電波が返ってこないので、通信部４０はアンテナ２２で受信した応答電波の有無でＩＣ紙幣２０と普通紙幣を区別する。通信部４０はピックローラ１上に載っている紙幣が、ＩＣ紙幣２０か普通紙幣かを繰り出し制御部５０へ通知する。尚、同じ姿勢のＩＣ紙幣２０が多数枚積層されている場合には、各無線ＩＣ２１からの応答電波が重なって混信が発生する場合もあるが、通信部４０の機能は、ピックローラ１上にある紙幣が、ＩＣ紙幣か普通紙幣かを区別することにあるので、混信していてもかまわない。
【００５０】
尚、図６の実施の形態例では、アンテナ２４を４ヵ所に配置してあるが、無線ＩＣ２１と交信可能であれば１ヵ所でもよいし、あるいは２ヵ所以上に配置してもよい。
【００５１】
４１は圧電素子で、一端部がセパレータ４に接続され、セパレータ４の位置を変化させるものである。ＩＣ紙幣２０を繰り出す場合は、後述する繰り出し制御部５０からの指令によって、圧電素子駆動部４２は圧電素子４１に印可する電圧を制御して、圧電素子４１を収縮させ、フィードローラ３とセパレータ４間のオーバーラップ量を初期設定位置よりも小さくして、ＩＣ紙幣２０が繰り出され易くなるようにする。一方、普通紙幣を繰り出す場合には、圧電素子駆動部４２は圧電素子４１に印可する電圧を制御して、圧電素子４１を伸張させ、オーバーラップ量を初期設定位置まで戻して、普通紙幣が重送されるのを防止する。これら圧電素子４１と圧電素子駆動部４２とで調整手段が構成されている。
【００５２】
本実施の形態例での紙幣処理ユニット１０１は、図３に示した鑑別部と図６に示した繰り出し機構を組み合わせて以下の構成とした。
【００５３】
第１実施の形態例（請求項１に対応）：従来例の繰り出し機構（図１７）＋図３の鑑別部
第２実施の形態例（請求項２に対応）：図６の繰り出し機構＋図３の鑑別部
図７（ａ）は、第１実施の形態例のブロック図、図７（ｂ）は第２実施の形態例のブロック図である。
【００５４】
ここで、第１実施の形態例、第２実施の形態例の繰り出し制御部５０の動作を図８〜図１１を用いて説明する。
（第１の実施の形態例）
第１の実施の形態例のフローである図８及び図９を用いて説明する。尚、基本的な制御フローを明確にするために、金種は１種類に限定して制御フローが必要以上に複雑になるのを避けた。
【００５５】
最初に、制御部１０８から払い出し枚数（ｍ）を受信し（ステップ１）、ピックローラ１とフィードローラ３の駆動部へ紙幣１枚分の繰り出し動作を指示し（ステップ２）、繰り出し機構１１３を駆動し、鑑別部１１４へ紙幣を搬送する。
【００５６】
鑑別部１１４の枚数検出部３１から通過枚数（ｎ）を入手し（ステップ３）、通過枚数が１ならば、鑑別部１１４の通信部３０に指令して、紙幣情報を入手する（ステップ５）。紙幣がＩＣ紙幣２０ならば、このステップで紙幣情報が入手される。次に、判別部３２から紙幣情報を入手する（ステップ６）。紙幣が普通紙幣ならば、このステップで紙幣情報が入手される。
【００５７】
そして、紙幣が真券ならば（ステップ７）、搬送路１１２へ入出金部１０２への搬送を指示する（ステップ８）。払い出し枚数ｍ＝ｍ−１とし、ｍ＝０となるまでステップ２からの動作を繰り返し（ステップ９、ステップ１０）、所定枚数の払い出しを完了する。
【００５８】
ステップ７で紙幣が真券でないと判断された場合、搬送路１１２へ紙幣をリジェクトボックス１０４へ搬送するように指示する（ステップ１１）。そして、ステップ２に戻り、ステップ２以降の動作を続行する。
【００５９】
ステップ４で、ｎ≠１、通過枚数が２以上、即ち重送が発生した場合には、鑑別部１１４の通信部３０に指令してＩＣ紙幣２０の紙幣情報及びＩＣ紙幣２０と特定した枚数（ｐ）を入手する（ステップ１２）。
【００６０】
重送された紙幣の枚数（ｎ）とＩＣ紙幣２０と特定した枚数（ｐ）とが一致する（ステップ１３）と、重送された紙幣は全てＩＣ紙幣２０であるので、払い出し枚数ｍ＝ｍ−ｎとし（ステップ１４）、ｍ＝０ならば、これで、払い出した枚数の合計が、最初に制御部１０８から指令された払い出し枚数（ｍ）となるので、搬送路１１２へｎ枚のＩＣ紙幣２０の入出金部１０２への搬送を指示し（ステップ１６）、所定枚数の払い出しを完了する。
【００６１】
ステップ１４でｍ＜０ならば、所定枚数より払い出し過ぎなので、ｎ枚のＩＣ紙幣２０をスタッカ１１０へ戻すように搬送路１１２へ指示し（ステップ１７）、ｍ＝ｍ＋ｎとして（ステップ１８）、ステップ２へ戻る。
【００６２】
ステップ１４でｍ＞０ならば、搬送路１１２へｎ枚のＩＣ紙幣２０の入出金部１０２への搬送を指示し（ステップ１９）、ステップ２へ戻る。
【００６３】
更に、ステップ１３で重送された紙幣の枚数（ｎ）とＩＣ紙幣２０と特定した枚数（ｐ）とが一致しない場合、ＩＣ紙幣２０と普通紙幣とが混在して重送されているので、鑑別部１１４での鑑別が不可能となり、重送された紙幣全てをスタッカ１１０へ戻すように搬送路１１２へ指示し（ステップ２０）、ステップ２へ戻る。
【００６４】
上記構成によれば、以下のような効果を得ることができる。
【００６５】
従来は重送した紙幣はリジェクトボックスに回収するので、回収分だけ紙幣が無駄になっていた。
【００６６】
しかし、本実施の形態例によれば、繰り出し機構１１３から繰り出されたＩＣ紙幣２０が重送している場合でも、無線ＩＣ２１を使用して、重なっているＩＣ紙幣２０を全て鑑別できるため、従来は鑑別不能として回収していた紙幣も正常紙幣として使うことができて、現金処理装置における紙幣の利用効率が向上する。
（第２実施の形態例）
第２の実施の形態例のフローである図１０及び図１１を用いて説明する。尚、基本的な制御フローを明確にするために、金種は１種類に限定して制御フローが必要以上に複雑になるのを避けた。
【００６７】
最初に、制御部１０８から払い出し枚数（ｍ）を受信し（ステップ１）、繰り出し機構１１３の通信部４０に指令して紙幣情報を入手する（ステップ２）。ピックローラ１上にＩＣ紙幣２０がある場合、圧電素子駆動部４２へオーバーラップ量の初期設定値からの減少を指示し、不送りをなくすようにする（ステップ４）。ピックローラ１上に普通紙幣がある場合には、圧電素子駆動部４２へオーバーラップ量の初期値への復帰を指示する（ステップ５）。
【００６８】
次に、ピックローラ１とフィードローラ３の駆動部へ紙幣１枚分の繰り出し動作を指示し（ステップ６）、繰り出し機構１１３を駆動し、鑑別部１１４へ紙幣を搬送する。
【００６９】
鑑別部１１４の枚数検出部３１から通過枚数（ｎ）を入手し（ステップ７）、通過枚数が１ならば、鑑別部１１４の通信部３０に指令して、紙幣情報を入手する（ステップ９）。紙幣がＩＣ紙幣２０ならば、このステップで紙幣情報が入手される。次に、判別部３２から紙幣情報を入手する（ステップ１０）。紙幣が普通紙幣ならば、このステップで紙幣情報が入手される。
【００７０】
そして、紙幣が真券ならば（ステップ１１）、搬送路１１２へ入出金部１０２への搬送を指示する（ステップ１２）。払い出し枚数ｍ＝ｍ−１とし、ｍ＝０となるまでステップ２からの動作を繰り返し（ステップ１３、ステップ１４）、所定枚数の払い出しを完了する。
【００７１】
ステップ１１で紙幣が真券でないと判断された場合、搬送路１１２へ紙幣をリジェクトボックス１０４へ搬送するように指示する（ステップ１５）。そして、ステップ２に戻り、ステップ２以降の動作を続行する。
【００７２】
ステップ８で、ｎ≠１、通過枚数が２以上、即ち重送が発生した場合には、鑑別部１１４の通信部３０に指令してＩＣ紙幣２０の紙幣情報及びＩＣ紙幣２０と特定した枚数（ｐ）を入手する（ステップ１６）。
【００７３】
重送された紙幣の枚数（ｎ）とＩＣ紙幣２０と特定した枚数（ｐ）とが一致する（ステップ１７）と、重送された紙幣は全てＩＣ紙幣２０であるので、払い出し枚数ｍ＝ｍ−ｎとし（ステップ１８）、ｍ＝０ならば、これで、払い出した枚数の合計が、最初に制御部１０８から指令された払い出し枚数（ｍ）となるので、搬送路１１２へｎ枚のＩＣ紙幣２０の入出金部１０２への搬送を指示し（ステップ２０）、所定枚数の払い出しを完了する。
【００７４】
ステップ１８でｍ＜０ならば、所定枚数より払い出し過ぎなので、ｎ枚のＩＣ紙幣２０をスタッカ１１０へ戻すように搬送路１１２へ指示し（ステップ２１）、ｍ＝ｍ＋ｎとして（ステップ２６２）、ステップ２へ戻る。
【００７５】
ステップ１８でｍ＞０ならば、搬送路１１２へｎ枚のＩＣ紙幣２０の入出金部１０２への搬送を指示し（ステップ２３）、ステップ２へ戻る。
【００７６】
更に、ステップ１７で重送された紙幣の枚数（ｎ）とＩＣ紙幣２０と特定した枚数（ｐ）とが一致しない場合、ＩＣ紙幣２０と普通紙幣とが混在して重送されているので、鑑別部１１４での鑑別が不可能となり、重送された紙幣全てをスタッカ１１０へ戻すように搬送路１１２へ指示し（ステップ２４）、ステップ２へ戻る。
【００７７】
上記構成によれば、第１の実施の形態例の効果に加え、以下のような効果を得ることができる。
（１）繰り出し機構１１３におけるＩＣ紙幣２０の不送り障害が発生しないため、不送り紙幣を取り除くための現金処理装置の休止が発生せず、利用者への現金入出金サービスが大幅に向上する。
（２）繰り出し機構１１３でＩＣ紙幣２０と普通紙幣を識別して繰り出し動作を制御するため、ＩＣ紙幣２０と普通紙幣が混在していても正しく繰り出し処理を行うことができる。
（３）普通紙幣の繰り出し時に不送りが発生した場合、調整手段を用いてオーバーラップ量を減少させることによって不送りした紙幣を自動的に排出することができるので、普通紙幣に対しても不送り障害の発生を防止できる。
【００７８】
ところで、図５（ｄ）に示したように、無線ＩＣ２１が重なっている場合には、鑑別部１１４において２ケの無線ＩＣ２１からの応答電波が混信するために、通信部３０において応答電波から各ＩＣ紙幣２０の紙幣情報を抽出することができないという課題がある。この課題に対しては、本実施の形態例では、以下のようにした。
【００７９】
無線ＩＣ２１のブロック図を図１２に示す。６０はアンテナで、鑑別部１１４内のアンテナ２２及び繰り出し機構１１３内のアンテナ２４と無線で送受信するものである。６１は情報を送信する送信部、６２は情報を受信する受信部である。６３は、金種や紙幣番号等の紙幣情報を記憶しておく記憶部である。６４は無線ＩＣ２１内の動作を制御する制御部である。６５は、照射されたマイクロ波から発生する交流電流を整流し、無線ＩＣ２１で必要な電力を供給する電源部である。
【００８０】
制御部６４の動作を図１３を用いて説明する。
【００８１】
制御部６４は質問電波を受信すると（ステップ１）、質問電波を解読し（ステップ２）、記憶部６３から紙幣情報を読み出す（ステップ３）。
【００８２】
複数の無線ＩＣ２１からの応答電波の混信を防止するために、制御部６４は、他の無線ＩＣ２１から発信される応答電波を常時モニターしている（ステップ４）。質問電波を受信して記憶部６３内の紙幣情報を送信する際に、他の無線ＩＣ２１が送信中の場合は送信を保留し、一定時間（ΔＴ）経過後に再送信を試みる（ステップ５）。他の無線ＩＣ２１が送信していない場合は、紙幣情報を送信し（ステップ６）、ステップ１に戻る。
【００８３】
このような構成にすれば、無線ＩＣ２１同士が送信タイミングを調整するので混信を防ぐことができ、図５（ｄ）の場合でも通信部３３は各紙幣の紙幣情報を確実に入手することができる。
【００８４】
本実施の形態例では、スタッカ１１０から紙幣を繰り出す場合を例にして説明したが、利用者が入出金部１０２へ投入した紙幣をスタッカ１１０へ収納する入金動作の場合も、入出金部１０２にある繰り出し機構１１３をスタッカ１１０の繰り出し機構１１３と同一構造とすることにより、実施の形態例と同じ処理を行うことができる。但し、入金処理の場合、鑑別できない紙幣があった場合は、その紙幣を入出金部１０２へ戻して利用者自身に確認してもらう点が異なる。
【００８５】
本実施の形態例の繰り出し機構１１３において、普通紙幣を繰り出す場合は、オーバーラップ量を初期設定値にするが、普通紙幣の繰り出し動作で不送りが発生した場合には、圧電素子４１を収縮してオーバーラップ量を減少させることによって、不送り紙幣を繰り出し機構１１３から排出することで、普通紙幣に対しても不送り障害を防止することができる。
【００８６】
更に、調整手段としては、図１４に示すような構成でもよい。即ち、セパレータ４に接続されたソレノイド７０と、ソレノイド７０を駆動するソレノイド駆動部７２と、セパレータ４をフィードローラ３から離れる方向に付勢する戻しバネ（付勢手段）とで構成した。
【００８７】
ＩＣ紙幣２０を繰り出す場合は、繰り出し制御部５０からの指令によって、ソレノイド駆動部７２はソレノイド７０への印可電圧を０にすると、セパレータ４は戻しバネ７１によってフィードローラ３から離れ、フィードローラ３とセパレータ４間のオーバーラップ量が初期設定値よりも小さくなって、ＩＣ紙幣２０は繰り出され易くなる。一方、普通紙幣を繰り出す場合には、繰り出し制御部５０からの指令によって、ソレノイド駆動部７２はソレノイド７０へ電圧を印可してソレノイド７０を伸張させ、オーバーラップ量を初期設定値まで戻して、普通紙幣が重送されるのを防止する。
【００８８】
（付記１）  紙幣の枚数、真贋、金種を鑑別する鑑別部を有する現金処理装置において、
前記鑑別部に、紙幣に内蔵された無線ＩＣと通信する通信手段を設けたことを特徴とする現金処理装置。
【００８９】
（付記２）  紙幣を分離するフィードローラとセパレータ間のオーバーラップ量を調整する調整手段を有した紙幣繰り出し機構と、
該紙幣繰り出し機構に設けられ、紙幣に内蔵された無線ＩＣと通信する通信手段と、
該通信手段からの信号に基づいて前記紙幣繰り出し機構の調整手段を制御する制御部と、
を設けたことを特徴とする付記１記載の現金処理装置。
【００９０】
（付記３）  前記調整手段は、前記セパレータに接続された圧電素子と、該圧電素子を駆動する圧電素子駆動部とで構成されていることを特徴とする付記２記載の現金処理装置。
【００９１】
（付記４）  前記調整手段は、前記セパレータに接続されたソレノイドと、該ソレノイドを駆動するソレノイド駆動部と、前記セパレータを前記フィードローラから離れる方向に付勢する付勢手段と、で構成されていることを特徴とする付記２記載の現金処理装置。
【００９２】
（付記５）  前記通信手段は、前記鑑別部に単数、複数のうちいずれか配置されていることを特徴とする付記１記載の現金処理装置。
【００９３】
（付記６）  前記通信手段は、繰り出し機構に単数、複数のうちいずれか配置されていることを特徴とする付記２記載の現金処理装置。
【００９４】
（付記７）  内蔵された無線ＩＣと、
他の無線ＩＣが送信中は自己の送信を保留し、一定時間後に再送信する制御部と、
を有することを特徴とする無線ＩＣ内蔵紙幣。
【００９５】
【発明の効果】
以上述べたように、請求項１記載の発明によれば、前記鑑別部に、紙幣に内蔵された無線ＩＣと通信する通信手段を設けたことにより、紙幣が重送されている場合でも、個々の紙幣を鑑別することができる。
【００９６】
請求項２記載の発明によれば、紙幣を分離するフィードローラとセパレータ間のオーバーラップ量を調整する調整手段を有した紙幣繰り出し機構と、該紙幣繰り出し機構に設けられ、紙幣に内蔵された無線ＩＣと通信する通信手段と、該通信手段からの信号に基づいて前記紙幣繰り出し機構の調整手段を制御する制御部とを設けたことにより、ＩＣ紙幣の場合は、オーバーラップ量を少なくして、不送りをなくすことができる。
【００９７】
請求項３記載の発明によれば、圧電素子駆動部を用いて圧電素子に印加する電圧を変えることで、圧電素子が伸張し、オーバーラップ量を変えることができる。
【００９８】
請求項４記載の発明によれば、ソレノイド駆動部を用いてソレノイドに印加する電圧を変えることで、付勢手段の付勢力に抗して移動するソレノイドの移動量が変わり、オーバーラップ量を変えることができる。
【００９９】
請求項５記載の発明によれば、他の無線ＩＣが送信中は自己の送信を保留し、一定時間後に再送信することにより、混信がなくなり、各紙幣の情報を確実に入手することができる。
【図面の簡単な説明】
【図１】請求項１記載の発明の原理図である。
【図２】請求項２記載の発明の原理図である。
【図３】実施の形態例の鑑別部の構成図である。
【図４】ＩＣ紙幣の姿勢を説明する図である。
【図５】重送されたＩＣ紙幣の姿勢を説明する図である。
【図６】実施の形態例の繰り出し機構の構成図である。
【図７】実施の形態例のブロック図である。
【図８】第１の実施の形態例のフロー図である。
【図９】第１の実施の形態例のフロー図である。
【図１０】第２の実施の形態例のフロー図である。
【図１１】第２の実施の形態例のフロー図である。
【図１２】無線ＩＣのブロック図である。
【図１３】図１２の制御部のフロー図である。
【図１４】調整手段の他の例を示す構成図である。
【図１５】一般的な現金処理装置の構成図である。
【図１６】図１５の紙幣処理ユニットの構成図である。
【図１７】図１６の繰り出し機構の構成図である。
【符号の説明】
２０  ＩＣ紙幣
２１  無線ＩＣ
２２  アンテナ
１１４  鑑別部
【図１】
2004164156.tif 000003
【図２】
2004164156.tif 000004
【図３】
2004164156.tif 000005
【図４】
2004164156.tif 000006
【図５】
2004164156.tif 000007
【図６】
2004164156.tif 000008
【図７】
2004164156.tif 000009
【図８】
2004164156.tif 000010
【図９】
2004164156.tif 000011
【図１０】
2004164156.tif 000012
【図１１】
2004164156.tif 000013
【図１２】
2004164156.tif 000014
【図１３】
2004164156.tif 000015
【図１４】
2004164156.tif 000016
【図１５】
2004164156.tif 000017
【図１６】
2004164156.tif 000018
【図１７】
2004164156.tif 000019